【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
撮像装置にネットワークを介して接続される表示装置であって、
画像を表示させる表示手段と、
前記撮像装置の撮像方向を変更させるための指示を入力する入力手段と、
前記撮像装置の撮像方向を変更させるための指示の入力に応じて、前記撮像装置へ制御コマンドを送信する送信手段と、
前記表示手段が表示させる画像の撮像範囲よりも広い撮像範囲の広範囲画像を前記撮像装置から受信する受信手段と、
前記表示手段が表示させる画像を前記広範囲画像から切り出す切り出し位置を、前記撮像装置の撮像方向を変更させるための指示の入力に応じて制御する制御手段と
を有することを特徴とする表示装置。
【請求項２】
前記制御手段は、前記受信された広範囲画像の撮像時の前記撮像装置の撮像方向と、前記入力に応じた制御後の撮像方向との差分に基づいて、前記切り出し位置を決定することを特徴とする請求項１に記載の表示装置。
【請求項３】
前記受信手段は、前記制御コマンドに応じて撮像方向を制御中の前記撮像装置から、撮像方向に関する情報を受信し、
前記制御手段は、前記受信された撮像方向に関する情報と、前記入力に応じた制御後の撮像方向との差分に基づいて、前記切り出し位置を決定することを特徴とする請求項１又は２に記載の表示装置。
【請求項４】
前記受信手段は、前記表示手段で表示させる画像の撮像範囲に応じた表示用画像と、当該表示用画像よりも広い撮像範囲の広範囲画像とを受信し、
前記制御手段は、前記受信手段で受信された表示用画像の表示中に、前記撮像方向を変更させるための指示が入力された場合、前記広範囲画像からの切り出しに基づく画像を表示させることを特徴とする請求項１乃至３のいずれか１項に記載の表示装置。
【請求項５】
撮像装置と表示装置とがネットワークを介して接続されるネットワークカメラシステムであって、
前記撮像装置は、
前記撮像装置の撮像方向を変更させるための制御コマンドを前記表示装置から受信する受信手段と、
前記受信された制御コマンドに応じて撮像方向を制御する制御手段と、
前記制御コマンドに応じた撮像方向の制御が完了する前に、当該制御コマンドによる制御後の撮像方向の画像が前記表示装置で表示できるように、前記表示装置で表示される画像の撮像範囲よりも広い撮像範囲の広範囲画像を前記表示装置へ送信する送信手段とを有し、
前記表示装置は、
画像を表示させる表示手段と、
前記撮像装置の撮像方向を変更させるための指示を入力する入力手段と、
前記撮像装置の撮像方向を変更させるための指示の入力に応じて、前記撮像装置へ制御コマンドを送信する送信手段と、
前記撮像装置から広範囲画像を受信する受信手段と、
前記表示手段が表示させる画像を前記広範囲画像から切り出す切り出し位置を、前記撮像装置の撮像方向を変更させるための指示の入力に応じて制御する制御手段と
を有することを特徴とするネットワークカメラシステム。
【請求項６】
表示装置にネットワークを介して接続される撮像装置であって、
前記撮像装置の撮像方向を変更させるための制御コマンドを表示装置から受信する受信手段と、
前記受信された制御コマンドに応じて撮像方向を制御する制御手段と、
前記制御コマンドに応じた撮像方向の制御が完了する前に、当該制御コマンドによる制御後の撮像方向の画像が前記表示装置で表示できるように、前記表示装置で表示される画像の撮像範囲よりも広い撮像範囲の広範囲画像を前記表示装置へ送信する送信手段と
を有することを特徴とする撮像装置。
【請求項７】
前記送信手段は、前記表示装置で表示される画像の撮像範囲に応じた表示用画像と、当該表示用画像よりも広い撮像範囲の広範囲画像とを、前記表示装置へ送信することを特徴とする請求項６に記載の撮像装置。
【請求項８】
前記制御コマンドが表示装置により送信されてから前記受信手段で受信されるまでの時間に応じた時間情報を取得する取得手段を有し、
前記制御手段は、前記取得された時間情報が第１の時間情報の場合、前記第１の時間情報よりも短い第２の時間情報が取得された場合よりも、撮像範囲が広い広範囲画像を前記表示装置へ送信することを特徴とする請求項６又は７に記載の撮像装置。
【請求項９】
前記制御コマンドが表示装置により送信されてから前記受信手段で受信されるまでの時間に応じた時間情報を取得する取得手段を有し、
前記制御手段は、前記取得された時間情報が第１の時間情報の場合、前記第１の時間情報よりも短い第２の時間情報が取得された場合よりも、解像度が低い広範囲画像を前記表示装置へ送信することを特徴とする請求項６乃至８のいずれか１項に記載の撮像装置。
【請求項１０】
撮像装置にネットワークを介して接続される表示装置が行う表示方法であって、
画像を表示させる表示工程と、
前記撮像装置の撮像方向を変更させるための指示を入力する入力工程と、
前記撮像装置の撮像方向を変更させるための指示の入力に応じて、前記撮像装置へ制御コマンドを送信する送信工程と、
前記表示工程が表示させる画像の撮像範囲よりも広い撮像範囲の広範囲画像を前記撮像装置から受信する受信工程と、
前記表示工程が表示させる画像を前記広範囲画像から切り出す切り出し位置を、前記撮像装置の撮像方向を変更させるための指示の入力に応じて制御する制御工程と
を有することを特徴とする表示方法。
【請求項１１】
表示装置にネットワークを介して接続される撮像装置が行う制御方法であって、
前記撮像装置の撮像方向を変更させるための制御コマンドを表示装置から受信する受信工程と、
前記受信された制御コマンドに応じて撮像方向を制御する制御工程と、
前記制御コマンドに応じた撮像方向の制御が完了する前に、当該制御コマンドによる制御後の撮像方向の画像が前記表示装置で表示できるように、前記表示装置で表示される画像の撮像範囲よりも広い撮像範囲の広範囲画像を前記表示装置へ送信する送信工程と
を有することを特徴とする制御方法。
【請求項１２】
撮像装置にネットワークを介して接続されるコンピュータに、
画像を表示させる表示手順と、
前記撮像装置の撮像方向を変更させるための指示を入力する入力手順と、
前記撮像装置の撮像方向を変更させるための指示の入力に応じて、前記撮像装置へ制御コマンドを送信する送信手順と、
前記表示手順が表示させる画像の撮像範囲よりも広い撮像範囲の広範囲画像を受信する受信手順と、
前記表示手順が表示させる画像を前記広範囲画像から切り出す切り出し位置を、前記撮像装置の撮像方向を変更させるための指示の入力に応じて制御する制御手順と
を実行させることを特徴とするプログラム。
【請求項１３】
表示装置にネットワークを介して接続されると共に、当該表示装置へ撮像手段による撮像画像を送信するコンピュータに、
前記撮像手段の撮像方向を変更させるための制御コマンドを表示装置から受信する受信手順と、
前記受信された制御コマンドに応じて撮像方向を制御する制御手順と、
前記制御コマンドに応じた撮像方向の制御が完了する前に、当該制御コマンドによる制御後の撮像方向の画像が前記表示装置で表示できるように、前記表示装置で表示される画像の撮像範囲よりも広い撮像範囲の広範囲画像を前記表示装置へ送信する送信手順と
を実行させることを特徴とするプログラム。
【手続補正２】
【補正対象書類名】明細書
【補正対象項目名】発明の名称
【補正方法】変更
【補正の内容】
【発明の名称】表示装置、ネットワークカメラシステム、及び撮像装置
【手続補正３】
【補正対象書類名】明細書
【補正対象項目名】０００８
【補正方法】変更
【補正の内容】
【０００８】
本発明の表示装置は、撮像装置にネットワークを介して接続される表示装置であって、画像を表示させる表示手段と、前記撮像装置の撮像方向を変更させるための指示を入力する入力手段と、前記撮像装置の撮像方向を変更させるための指示の入力に応じて、前記撮像装置へ制御コマンドを送信する送信手段と、前記表示手段が表示させる画像の撮像範囲よりも広い撮像範囲の広範囲画像を前記撮像装置から受信する受信手段と、前記表示手段が表示させる画像を前記広範囲画像から切り出す切り出し位置を、前記撮像装置の撮像方向を変更させるための指示の入力に応じて制御する制御手段とを有することを特徴とする。
また、本発明のネットワークカメラシステムは、撮像装置と表示装置とがネットワークを介して接続されるネットワークカメラシステムであって、前記撮像装置は、前記撮像装置の撮像方向を変更させるための制御コマンドを前記表示装置から受信する受信手段と、前記受信された制御コマンドに応じて撮像方向を制御する制御手段と、前記制御コマンドに応じた撮像方向の制御が完了する前に、当該制御コマンドによる制御後の撮像方向の画像が前記表示装置で表示できるように、前記表示装置で表示される画像の撮像範囲よりも広い撮像範囲の広範囲画像を前記表示装置へ送信する送信手段とを有し、前記表示装置は、画像を表示させる表示手段と、前記撮像装置の撮像方向を変更させるための指示を入力する入力手段と、前記撮像装置の撮像方向を変更させるための指示の入力に応じて、前記撮像装置へ制御コマンドを送信する送信手段と、前記撮像装置から広範囲画像を受信する受信手段と、前記表示手段が表示させる画像を前記広範囲画像から切り出す切り出し位置を、前記撮像装置の撮像方向を変更させるための指示の入力に応じて制御する制御手段とを有することを特徴とする。
また、本発明の撮像装置は、表示装置にネットワークを介して接続される撮像装置であって、前記撮像装置の撮像方向を変更させるための制御コマンドを表示装置から受信する受信手段と、前記受信された制御コマンドに応じて撮像方向を制御する制御手段と、前記制御コマンドに応じた撮像方向の制御が完了する前に、当該制御コマンドによる制御後の撮像方向の画像が前記表示装置で表示できるように、前記表示装置で表示される画像の撮像範囲よりも広い撮像範囲の広範囲画像を前記表示装置へ送信する送信手段とを有することを特徴とする。
また、本発明の表示方法は、撮像装置にネットワークを介して接続される表示装置が行う表示方法であって、画像を表示させる表示工程と、前記撮像装置の撮像方向を変更させるための指示を入力する入力工程と、前記撮像装置の撮像方向を変更させるための指示の入力に応じて、前記撮像装置へ制御コマンドを送信する送信工程と、前記表示工程が表示させる画像の撮像範囲よりも広い撮像範囲の広範囲画像を前記撮像装置から受信する受信工程と、前記表示工程が表示させる画像を前記広範囲画像から切り出す切り出し位置を、前記撮像装置の撮像方向を変更させるための指示の入力に応じて制御する制御工程とを有することを特徴とする。
また、本発明の制御方法は、表示装置にネットワークを介して接続される撮像装置が行う制御方法であって、前記撮像装置の撮像方向を変更させるための制御コマンドを表示装置から受信する受信工程と、前記受信された制御コマンドに応じて撮像方向を制御する制御工程と、前記制御コマンドに応じた撮像方向の制御が完了する前に、当該制御コマンドによる制御後の撮像方向の画像が前記表示装置で表示できるように、前記表示装置で表示される画像の撮像範囲よりも広い撮像範囲の広範囲画像を前記表示装置へ送信する送信工程とを有することを特徴とする。
また、本発明のプログラムは、撮像装置にネットワークを介して接続されるコンピュータに、画像を表示させる表示手順と、前記撮像装置の撮像方向を変更させるための指示を入力する入力手順と、前記撮像装置の撮像方向を変更させるための指示の入力に応じて、前記撮像装置へ制御コマンドを送信する送信手順と、前記表示手順が表示させる画像の撮像範囲よりも広い撮像範囲の広範囲画像を受信する受信手順と、前記表示手順が表示させる画像を前記広範囲画像から切り出す切り出し位置を、前記撮像装置の撮像方向を変更させるための指示の入力に応じて制御する制御手順とを実行させることを特徴とする。
また、本発明のプログラムは、表示装置にネットワークを介して接続されると共に、当該表示装置へ撮像手段による撮像画像を送信するコンピュータに、前記撮像手段の撮像方向を変更させるための制御コマンドを表示装置から受信する受信手順と、前記受信された制御コマンドに応じて撮像方向を制御する制御手順と、前記制御コマンドに応じた撮像方向の制御が完了する前に、当該制御コマンドによる制御後の撮像方向の画像が前記表示装置で表示できるように、前記表示装置で表示される画像の撮像範囲よりも広い撮像範囲の広範囲画像を前記表示装置へ送信する送信手順とを実行させることを特徴とする。